(57)【要約】      （修正有）【課題】何人でも極めて簡単に組立て構成することができ、種々の組合せ構成とその展開を可能かつ簡単にして、従来に無い組合せ、形状、用途に発展できる、極めて汎用性に優れた組立式物品棚を提供する。【解決手段】両柱材間に梯子状に丸棒状横桟を備えた左右側枠と、棚板下面の左右側辺に丸棒状横桟の嵌合溝を形成した複数枚の棚板と、両端にねじ孔を明けた筋交ロッドを用意し、筋交ロッドの両端を左右側枠の背面にねじで固着して、左右側枠を連結し、該左右側枠の丸棒状横桟に棚板の左右側辺の嵌合溝を嵌合して組立てた組立式物品棚によって課題を解決した。【選択図】図１
0003121407.tif 000002
【実用新案登録請求の範囲】
【請求項１】
２本等長の柱材を棚板の幅に見合った間隔で平行に備え両柱材間に丸棒状横桟を設定間隔毎に取付けて梯子状に備えた左右一対の側枠と、
設定長で設定幅の長方形の棚板下面の左右側辺に沿って、側枠の丸棒状横桟に嵌合する断面形状の嵌合溝を形成した複数枚の棚板と、
両端にねじ孔を明けた設定長の２本の金属ロッドをＸ状にし、その交点を枢着した筋交ロッドからなり、
筋交ロッドの両端を、左右一対の側枠の背面の各上下部付近の左右対称位置に、各ねじ孔に挿通したねじで固着して、左右側枠を両者間の平行間隔調節自在に連結すると共に、該左右側枠の丸棒状横桟に棚板の左右側辺の嵌合溝を嵌合することによって棚を組立てるように備えたものである、組立式物品棚。
【請求項２】
側枠の柱材は横断面方形、円形等任意であり、側枠の高さ及び幅の寸法は任意であり、また、丸棒状横桟の上下間隔、段数等は任意である、
請求項１の組立式物品棚。
【請求項３】
棚板は一枚板状、すのこ状等任意であり、その長さ及び幅の寸法は、左右側枠の設定間隔及び幅、即ち組立てる棚の間口及び奥行きに合せて任意であり、棚板下面の左右側辺に沿って形成する、側枠の丸棒状横桟嵌合用の嵌合溝はその断面形状を側枠の丸棒状横桟を蜜に嵌合する半円形、Ｕ字形、コ字形等に形成したものである、
請求項１の組立式物品棚。
【請求項４】
並列設置した隣接組立式物品棚における水平相対位置の丸棒状横桟に、両組立式物品棚間に跨って配置した棚板の左右側辺の嵌合溝を嵌合することによって、隣接組立式物品棚を連結組立てするように備えたものである、
請求項１の組立式物品棚。
【考案の詳細な説明】
【技術分野】
【０００１】
複数種類寸法の側枠、棚板、筋交ロッドの3部材を用意提供するだけで、その左右側枠を筋交ロッドで連結し、該側枠の丸棒状横桟に棚板の左右側辺の嵌合溝を嵌合することによって、種々の高さ、間口、奥行き、及び棚段数の物品棚を、自由自在に組立て解体することができる、汎用性、適用性に優れた物品棚組立棚を提供する。
【背景技術】
【０００２】
従来、種々提供されている組立て式の物品棚は、何れも、側板、底板、天板、複数枚の棚板、それらを連結接続するための多数本のねじ、専用の連結金具、専用工具等の多数種の部材、用具を要するものが多く、そのため、説明書等によって組立てるのが、理解力、体力等の面で容易でない等の多くの課題があり、
また、通常はその資材の製造販売業者からセットとして提供される規格部品及び規格組立材の範囲内でしか展開できず、汎用性、自在性に欠ける課題があった。
【考案の開示】
【考案が解決しようとする課題】
【０００３】
そこで本考案は、僅か３種の部材（側枠、棚板、筋交ロッド）を用意し、側枠に筋交ロッドをねじ止めし（僅か４箇所）、あとは棚板を載せるだけで、何人でも極めて簡単に組立て構成することができる組立式物品棚を提供し、
その上、３種の部材による種々の組合せ構成とその展開を可能かつ簡単にして、従来に無い組合せ、形状、用途に発展できる、極めて汎用性に優れた組立式物品棚を提供して、従来の課題を解決したものである。
【課題を解決するための手段】
【０００４】
即ち、本考案は、２本等長の柱材を棚板の幅に見合った間隔で平行に備え両柱材間に丸棒状横桟を設定間隔毎に取付けて梯子状に備えた左右一対の側枠と、
【０００５】
設定長で設定幅の長方形の棚板下面の左右側辺に沿って、側枠の丸棒状横桟に嵌合する断面形状の嵌合溝を形成した複数枚の棚板と、
【０００６】
両端にねじ孔を明けた設定長の２本の金属ロッドをＸ状にし、その交点を枢着した筋交ロッドからなり、
【０００７】
該筋交ロッドの両端を、左右一対の側枠の背面の各上下部付近の左右対称位置に、各ねじ孔に挿通したねじで固着して、左右側枠を両者間の平行間隔調節自在に連結すると共に、
【０００８】
該左右側枠の丸棒状横桟に棚板の左右側辺の嵌合溝を嵌合することによって棚を組立てるように備えたものである組立式物品棚によって、課題を解決したものである。
【考案の効果】
【０００９】
左右側枠を筋交ロッドで連結し、該左右側枠の丸棒状横桟に棚板の左右側辺の嵌合溝を嵌合することによって組立てた組立式物品棚において、棚板上に物品を積載使用すると、該積載物の荷重によって、棚板下面の左右側辺の嵌合溝の半円形等内面に、丸棒状横桟の上半円周面が緊密に密着嵌合すると共に、筋交ロッドの筋交い作用が働くため、特に、垂直な左右側枠と水平な棚板に作用する、水平方向（歪力）及び回転捻れ方向の外力に対し、強い耐久性を発揮して、棚の外形を正しく保持できる効果があり、この効果は、棚板の枚数及び積載物の荷重が大になるほど増大する特徴がある。
【００１０】
複数種類寸法の側枠、棚板、筋交ロッドを用意提供することによって、種々の高さ、間口、奥行きの物品棚を自由自在に組立て解体することができ、汎用性、適用性に優れた組立棚を提供でき、更に、並置した組立棚同士を棚板を使って簡単に連結できる便利さがある。
【００１１】
棚板は、垂直に僅かに持上げることによって、取付け、取外し、及び位置替え等を極めて簡単迅速に行なうことができ、よって、特に、商店等で寸法の異なる商品の配置替え、入替え等のために、棚板の配置替え、入替えを行なう場合などに非常に便利である。
【００１２】
側枠、棚板、筋交ロッドに分解できるので、嵩張らず、保管、包装、梱包、運搬等に便利である。
【考案を実施するための最良の形態】
【００１３】
両柱材間に梯子状に丸棒状横桟を備えた左右側枠と、棚板下面の左右側辺に丸棒状横桟の嵌合溝を形成した複数枚の棚板と、両端にねじ孔を明けた筋交ロッドの３種の部材を用意し、その筋交ロッドの両端を左右側枠の背面にねじで固着して、左右側枠を連結し、該左右側枠の丸棒状横桟に棚板の左右側辺の嵌合溝を嵌合して組立てた、組立式物品棚。
【実施例１】
【００１４】
図１は本考案の実施例組立式物品棚の正面図、平面図、及び右側面図、図２は背面図、図３は図１のＢ−Ｂ線断面一部拡大図、図４は側枠の正面図、平面図、及び右側面図、図５は棚板の正面図、平面図、右側面図、及び背面図である。
また、Ａは実施例組立式物品棚、１は側枠、２は棚板、３は筋交ロッド、４は柱材、５は丸棒状横桟、６は嵌合溝、７はねじである。
【００１５】
本考案は、２本等長の柱材４を棚板２の幅に見合った間隔で平行に備え両柱材４、４間に丸棒状横桟５を設定間隔毎に取付けて梯子状に備えた左右一対の側枠１、１と、
【００１６】
設定長で設定幅の長方形の棚板２下面の左右側辺に沿って、側枠１の丸棒状横桟５に嵌合する断面形状の嵌合溝６を形成した複数枚の棚板２と、
【００１７】
両端にねじ孔を明けた設定長の２本の金属ロッドをＸ状にし、その交点を枢着した筋交ロッド３からなり、
【００１８】
該筋交ロッド３の両端を、左右一対の側枠１、１の背面の各上下部付近の左右対称位置に、各ねじ孔に挿通したねじ７で固着して、左右側枠１、１を両者間の平行間隔調節自在に連結すると共に、
【００１９】
該左右側枠１、１の丸棒状横桟５に棚板２の左右側辺の嵌合溝６を嵌合することによって棚を組立てるように備えた、組立式物品棚Ａである。
【００２０】
上記の組立式物品棚Ａにおいて、
側枠１の柱材４は横断面方形（図示例）、円形等任意であり、側枠の高さ及び幅の寸法は任意であり、また、丸棒状横桟５の上下間隔、段数等は任意である。
【００２１】
棚板２は一枚板状、すのこ状等任意であり、その長さ及び幅の寸法は、左右側枠１、１の設定間隔及び幅、即ち組立てる棚２の間口及び奥行きに合せて任意であり、棚板２下面の左右側辺に沿って形成する、側枠１の丸棒状横桟５の嵌合用の嵌合溝６はその断面形状を側枠１の丸棒状横桟を蜜に嵌合する半円形（図示例）、Ｕ字形、コ字形等に形成したものである。
【００２２】
並列設置した隣接組立式物品棚Ａ、Ａにおける水平相対位置の丸棒状横桟５、５に、両組立式物品棚Ａ、Ａ間に跨って配置した棚板２の、左右側辺の嵌合溝６、６を嵌合することによって、隣接組立式物品棚Ａ、Ａを連結組立てするように備えたものである。
【産業上の利用可能性】
【００２３】
複数種類寸法の側枠、棚板、筋交ロッドを用意・提供することによって、種々の高さ、間口、奥行きの物品棚を自由自在に組立て解体することができ、更に、並置した組立棚同士を棚板を使って簡単に連結できる、汎用性、適用性に優れた組立棚を提供する。
【図面の簡単な説明】
【００２４】
【図１】本考案の実施例組立式物品棚の正面図、平面図、及び右側面図。
【図２】図１の背面図。
【図３】図１のＢ−Ｂ線断面一部拡大図。
【図４】側枠の正面図、平面図、及び右側面図。
【図５】棚板の正面図、平面図、右側面図、及び背面図。
【符号の説明】
【００２５】
Ａ    実施例組立式物品棚
１    側枠
２    棚板
３    筋交ロッド
４    柱材
５    丸棒状横桟
６    嵌合溝
７    ねじ
【図１】
0003121407.tif 000003
【図２】
0003121407.tif 000004
【図３】
0003121407.tif 000005
【図４】
0003121407.tif 000006
【図５】
0003121407.tif 000007